(57)【要約】【課題】表示部に表示されたロック中画面のロック解除用アイコンをタッチし移動させることによってロックを解除する方式が搭載された、ユーザー認証が必要な情報処理装置において、ロック解除操作後にユーザー認証のための別途の操作を不要にして操作性を改善した情報処理装置等を提供する。【解決手段】ロックの解除のための第１のアイコン２２１と、自装置の機能を示す第２のアイコン２２２を有し、ロック中であることを示すロック中画面が表示手段２２に表示される。ログインしようとするユーザーによる第１のアイコン２２１のタッチ移動操作に基づいてロックが解除され、第１のアイコンの移動操作中にユーザー認証が行われる。認証後に、ロック中画面が認証されたユーザーに対応する個別画面に変更される。【選択図】  図１２
2016009340.tif 000002
【特許請求の範囲】
【請求項１】
タッチ操作可能な表示手段と、
ユーザーのログアウト後に自装置を待機状態にロックして、ロック解除操作を含む設定された操作以外のタッチ操作を無効にするロック手段と、
前記ロック手段によるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御手段と、
ログインしようとするユーザーによる前記ロック中画面内の前記第１のアイコンのタッチ移動操作に基づいて、ロックを解除するロック解除手段と、
前記移動された第１のアイコンのリリース位置と、前記第２のアイコンの位置が一致する場合に、前記第２のアイコンに該当する機能を前記ユーザーが選択したと判断する機能選択判断手段と、
前記ユーザーによる入力操作を必要とすることなく、前記ユーザーを特定するためのユーザー情報を取得するユーザー情報取得手段と、
前記ユーザーによる前記第１のアイコンの移動操作中に、前記ユーザー情報取得手段により取得されたユーザー情報に基づいて前記ユーザーの認証を行う認証手段と、
を備え、
前記表示制御手段は、前記認証手段によるユーザーの認証後に、前記ロック中画面を認証されたユーザーに対応する個別画面に変更して前記表示手段に表示することを特徴とする情報処理装置。
【請求項２】
前記ユーザー情報取得手段は、前記ユーザーが保持する人体通信端末から、人体を通信経路とする人体通信により前記ユーザー情報を取得する請求項１に記載の情報処理装置。
【請求項３】
前記表示制御手段は、前記第２のアイコンの表示形態を前記ロック中画面における表示形態から変更して前記個別画面を表示する請求項１または２に記載の情報処理装置。
【請求項４】
前記表示制御手段は、前記認証されたユーザーが使用を許可されていない機能に対応する第２のアイコンの表示形態を、前記ロック中画面における表示形態から変更して前記個別画面を表示する請求項３に記載の情報処理装置。
【請求項５】
前記第２のアイコンの表示形態の変更は、第２のアイコンの色、形状、位置のうちの少なくともいずれかの変更である請求項３または４に記載の情報処理装置。
【請求項６】
前記表示制御手段は、前記認証されたユーザーが使用を許可されていない機能が存在する場合、使用を許可されている機能に対応する前記第２のアイコンのサイズを前記ロック中画面におけるサイズよりも大きくして前記個別画面を表示する請求項３に記載の情報処理装置。
【請求項７】
前記表示制御手段は、前記第１のアイコンの移動後に、前記第２のアイコンに関連する機能設定を示す第３のアイコンを、前記表示手段に表示する請求項１〜６のいずれかに記載の情報処理装置。
【請求項８】
前記第３のアイコンは認証されたユーザーに固有の機能設定を示すアイコンである請求項７に記載の情報処理装置。
【請求項９】
前記表示制御手段は、前記個別画面に背景画像を表示する請求項１〜８のいずれかに記載の情報処理装置。
【請求項１０】
前記背景画像は、前記第１のアイコンの移動先の前記第２のアイコンで示される機能を選択したときに表示される基本画面の画像である請求項９に記載の情報処理装置。
【請求項１１】
前記表示制御手段は、前記背景画像を透過表示するとともに、移動操作される前記第１のアイコンの移動距離に応じて前記背景画像の透過度を変更する請求項１０に記載の情報処理装置。
【請求項１２】
前記ロック解除手段は、前記第１のアイコンが前記第２のアイコンの位置でリリースされるまでの予め設定されたタイミングで、前記ロックを解除する請求項１〜１１のいずれかに記載の情報処理装置。
【請求項１３】
前記表示制御手段は、前記第１のアイコンが前記第２のアイコンの位置でリリースされるまでに前記認証手段によるユーザーの認証が完了していない場合は、前記リリース後にユーザー認証要求画面を前記表示手段に表示する請求項１２に記載の情報処理装置。
【請求項１４】
タッチ操作可能な表示手段を備えた情報処理装置で実行されるロック中画面の表示制御方法であって、
ユーザーのログアウト後に前記情報処理装置を待機状態にロックして、ロック解除操作を含む設定された操作以外のタッチ操作を無効とするロックステップと、
前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、
ログインしようとするユーザーによる前記ロック中画面内の前記第１のアイコンのタッチ移動操作に基づいて、ロックを解除するロック解除ステップと、
前記移動された第１のアイコンのリリース位置と、前記第２のアイコンの位置が一致する場合に、前記第２のアイコンに該当する機能を前記ユーザーが選択したと判断する機能選択判断ステップと、
ユーザーを特定するためのユーザー情報の前記ユーザーによる入力操作を必要とすることなく、前記ユーザー情報を取得するユーザー情報取得ステップと、
前記ユーザーによる前記第１のアイコンの移動操作中に、前記ユーザー情報取得ステップにより取得されたユーザー情報に基づいて前記ユーザーの認証を行う認証ステップと、
を備え、
前記表示制御ステップでは、前記認証手段によるユーザーの認証後に、前記ロック中画面を認証されたユーザーに対応する個別画面に変更して前記表示手段に表示することを特徴とする情報処理装置におけるロック中画面の表示制御方法。
【請求項１５】
タッチ操作可能な表示手段を備えた情報処理装置のＣＰＵに、
ユーザーのログアウト後に前記情報処理装置を待機状態にロックして、ロック解除操作を含む設定された操作以外のタッチ操作を無効とするロックステップと、
前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、
ログインしようとするユーザーによる前記ロック中画面内の前記第１のアイコンのタッチ移動操作に基づいて、ロックを解除するロック解除ステップと、
前記移動された第１のアイコンのリリース位置と、前記第２のアイコンの位置が一致する場合に、前記第２のアイコンに該当する機能を前記ユーザーが選択したと判断する機能選択判断ステップと、
ユーザーを特定するためのユーザー情報の前記ユーザーによる入力操作を必要とすることなく、前記ユーザー情報を取得するユーザー情報取得ステップと、
前記ユーザーによる前記第１のアイコンの移動操作中に、前記ユーザー情報取得ステップにより取得されたユーザー情報に基づいて前記ユーザーの認証を行う認証ステップと、
を実行させ、
前記表示制御ステップでは、前記認証手段によるユーザーの認証後に、前記ロック中画面を認証されたユーザーに対応する個別画面に変更して前記表示手段に表示する処理を前記ＣＰＵに実行させるためのロック中画面の表示制御プログラム。
【発明の詳細な説明】
【技術分野】
【０００１】
この発明は、パーソナルコンピュータ、タブレット端末装置、画像処理装置等の情報処理装置、該情報処理装置におけるロック中画面の表示制御方法及び表示制御プログラムに関する。
【背景技術】
【０００２】
例えばスマートフォンやタブレット端末等の携帯端末装置では、表示部に備えられたタッチパネルをユーザーがタッチすることにより装置の操作が行われるが、待受中の画面への不用意なタッチ操作による意図しない画面遷移を避けるため、装置をロックして、ロック解除操作を含む設定された操作以外のタッチ操作を無効にすることが一般に行われている。
【０００３】
また、ロック中は表示部にロック解除用のアイコンを有するロック中画面を表示部に表示し、ユーザーがロック解除用のアイコンをタッチし画面上で移動操作（スワイプ）することにより、ロックを解除する構成が一般に採用されている。
【０００４】
しかし、この構成では、移動操作によるロック解除後に、再度使用するアプリケーションを選択しなければならず、所望のアプリケーションに到達するまでにロック解除操作とアプリケーションの選択操作が必要となるため、操作ステップ数が多くなり操作性が良くない。
【０００５】
そこで、特許文献１には、ロック中画面に、ロック解除用のアイコンの他にアプリケーションが対応付けられたアプリアイコンを表示し、ユーザーがロック解除用のアイコンを選択したアプリアイコン上でリリースすることで、このアプリアイコンに対応するアプリケーションを起動させる技術が提案されている。この技術によれば、ロック解除操作とアプリケーションの選択起動操作を１回の操作で同時的に行うことができ、操作性が良くなる。
【０００６】
ところで、コピー機能、プリンタ機能、スキャン機能、ファクシミリ機能等を有する多機能デジタル画像処理装置であるＭＦＰ（Multi Function Peripheral）等の情報処理装置は、従来のコピー機能主体の役割から、ブラウザ印刷、スキャンデータの送信等、プリンタ機能やスキャン機能等の他の機能の比重が増大している。このため、初期画面として従来のコピー機能の使用画面に代えて、機能選択画面を採用する場合が増えている。
【０００７】
また、スマートファンやタブレット端末と連携して操作可能な機種も増えており、このため、ＭＦＰ等の情報処理装置とスマートファンやタブレット端末等との操作環境がシームレスになってきている。
【０００８】
そこで、使用時にユーザー認証が必要なＭＦＰ等の操作パネルにおいて、ユーザーがログアウトした後に自装置を待機状態にロックするとともに、ロック解除用のアイコンと機能選択用のアイコンを画面に表示し、ロック解除用のアイコンをタッチして画面上を移動させ機能選択用のアイコン上でリリースすることにより、ロックの解除と使用したい機能の選択を同時に行わせることが検討されているが、次のような問題がある。
【先行技術文献】
【特許文献】
【０００９】
【特許文献１】特開２０１３−０６５２８９号公報
【発明の概要】
【発明が解決しようとする課題】
【００１０】
即ち、ユーザーが装置を使用するときはユーザー認証が必要となるため、ロック解除と機能選択を１回の操作で同時に行う技術を搭載したとしても、ユーザー認証のための操作が別途必要となり、目的の動作に到達するまでにやはりステップ数が多くなり、操作性が低下してしまうという問題がある。
【００１１】
このような問題は、ＭＦＰだけでなく、ユーザー認証が必要な他の情報処理装置においても同様に発生する。
【００１２】
この発明は、上述した問題を解消するためになされたものであって、表示部に表示されたロック中画面のロック解除用アイコンをタッチし移動させることによってロックを解除する方式が搭載された、ユーザー認証が必要な情報処理装置において、ロック解除操作後にユーザー認証のための別途の操作を不要にして操作性を改善した情報処理装置を提供し、さらに同装置におけるロック中画面の表示制御方法及び表示制御プログラムを提供することを課題とする。
【課題を解決するための手段】
【００１３】
上記課題は、以下の手段によって解決される。
（１）タッチ操作可能な表示手段と、ユーザーのログアウト後に自装置を待機状態にロックして、ロック解除操作を含む設定された操作以外のタッチ操作を無効にするロック手段と、前記ロック手段によるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御手段と、ログインしようとするユーザーによる前記ロック中画面内の前記第１のアイコンのタッチ移動操作に基づいて、ロックを解除するロック解除手段と、前記移動された第１のアイコンのリリース位置と、前記第２のアイコンの位置が一致する場合に、前記第２のアイコンに該当する機能を前記ユーザーが選択したと判断する機能選択判断手段と、前記ユーザーによる入力操作を必要とすることなく、前記ユーザーを特定するためのユーザー情報を取得するユーザー情報取得手段と、前記ユーザーによる前記第１のアイコンの移動操作中に、前記ユーザー情報取得手段により取得されたユーザー情報に基づいて前記ユーザーの認証を行う認証手段と、を備え、前記表示制御手段は、前記認証手段によるユーザーの認証後に、前記ロック中画面を認証されたユーザーに対応する個別画面に変更して前記表示手段に表示することを特徴とする情報処理装置。
（２）前記ユーザー情報取得手段は、前記ユーザーが保持する人体通信端末から、人体を通信経路とする人体通信により前記ユーザー情報を取得する前項１に記載の情報処理装置。
（３）前記表示制御手段は、前記第２のアイコンの表示形態を前記ロック中画面における表示形態から変更して前記個別画面を表示する前項１または２に記載の情報処理装置。
（４）前記表示制御手段は、前記認証されたユーザーが使用を許可されていない機能に対応する第２のアイコンの表示形態を、前記ロック中画面における表示形態から変更して前記個別画面を表示する前項３に記載の情報処理装置。
（５）前記第２のアイコンの表示形態の変更は、第２のアイコンの色、形状、位置のうちの少なくともいずれかの変更である前項３または４に記載の情報処理装置。
（６）前記表示制御手段は、前記認証されたユーザーが使用を許可されていない機能が存在する場合、使用を許可されている機能に対応する前記第２のアイコンのサイズを前記ロック中画面におけるサイズよりも大きくして前記個別画面を表示する前項３に記載の情報処理装置。
（７）前記表示制御手段は、前記第１のアイコンの移動後に、前記第２のアイコンに関連する機能設定を示す第３のアイコンを、前記表示手段に表示する前項１〜６のいずれかに記載の情報処理装置。
（８）前記第３のアイコンは認証されたユーザーに固有の機能設定を示すアイコンである前項７に記載の情報処理装置。
（９）前記表示制御手段は、前記個別画面に背景画像を表示する前項１〜８のいずれかに記載の情報処理装置。
（１０）前記背景画像は、前記第１のアイコンの移動先の前記第２のアイコンで示される機能を選択したときに表示される基本画面の画像である前項９に記載の情報処理装置。
（１１）前記表示制御手段は、前記背景画像を透過表示するとともに、移動操作される前記第１のアイコンの移動距離に応じて前記背景画像の透過度を変更する前項１０に記載の情報処理装置。
（１２）前記ロック解除手段は、前記第１のアイコンが前記第２のアイコンの位置でリリースされるまでの予め設定されたタイミングで、前記ロックを解除する前項１〜１１のいずれかに記載の情報処理装置。
（１３）前記表示制御手段は、前記第１のアイコンが前記第２のアイコンの位置でリリースされるまでに前記認証手段によるユーザーの認証が完了していない場合は、前記リリース後にユーザー認証要求画面を前記表示手段に表示する前項１２に記載の情報処理装置。
（１４）タッチ操作可能な表示手段を備えた情報処理装置で実行されるロック中画面の表示制御方法であって、ユーザーのログアウト後に前記情報処理装置を待機状態にロックして、ロック解除操作を含む設定された操作以外のタッチ操作を無効とするロックステップと、前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、ログインしようとするユーザーによる前記ロック中画面内の前記第１のアイコンのタッチ移動操作に基づいて、ロックを解除するロック解除ステップと、前記移動された第１のアイコンのリリース位置と、前記第２のアイコンの位置が一致する場合に、前記第２のアイコンに該当する機能を前記ユーザーが選択したと判断する機能選択判断ステップと、ユーザーを特定するためのユーザー情報の前記ユーザーによる入力操作を必要とすることなく、前記ユーザー情報を取得するユーザー情報取得ステップと、前記ユーザーによる前記第１のアイコンの移動操作中に、前記ユーザー情報取得ステップにより取得されたユーザー情報に基づいて前記ユーザーの認証を行う認証ステップと、を備え、前記表示制御ステップでは、前記認証手段によるユーザーの認証後に、前記ロック中画面を認証されたユーザーに対応する個別画面に変更して前記表示手段に表示することを特徴とする情報処理装置におけるロック中画面の表示制御方法。
（１５）タッチ操作可能な表示手段を備えた情報処理装置のＣＰＵに、ユーザーのログアウト後に前記情報処理装置を待機状態にロックして、ロック解除操作を含む設定された操作以外のタッチ操作を無効とするロックステップと、前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、ログインしようとするユーザーによる前記ロック中画面内の前記第１のアイコンのタッチ移動操作に基づいて、ロックを解除するロック解除ステップと、前記移動された第１のアイコンのリリース位置と、前記第２のアイコンの位置が一致する場合に、前記第２のアイコンに該当する機能を前記ユーザーが選択したと判断する機能選択判断ステップと、ユーザーを特定するためのユーザー情報の前記ユーザーによる入力操作を必要とすることなく、前記ユーザー情報を取得するユーザー情報取得ステップと、前記ユーザーによる前記第１のアイコンの移動操作中に、前記ユーザー情報取得ステップにより取得されたユーザー情報に基づいて前記ユーザーの認証を行う認証ステップと、を実行させ、前記表示制御ステップでは、前記認証手段によるユーザーの認証後に、前記ロック中画面を認証されたユーザーに対応する個別画面に変更して前記表示手段に表示する処理を前記ＣＰＵに実行させるためのロック中画面の表示制御プログラム。
【発明の効果】
【００１４】
前項（１）に記載の発明によれば、ユーザーのログアウト後に自装置が待機状態にロックされ、表示手段には、ロックの解除のための第１のアイコンと、自装置の機能を示す１個または複数個の第２のアイコンを有し、ロック中であることを示すロック中画面の初期画面が表示される。第１のアイコンをユーザーがタッチして第２のアイコンへ移動させると第１のアイコンの位置に応じたロック中画面が表示される。また、第１のアイコンのタッチ移動操作に基づいてロックが解除されるとともに、移動させた第１のアイコンのリリース位置と第２のアイコンの位置が一致する場合に、第２のアイコンに該当する機能をユーザーが選択したと判断される。また、ユーザーを特定するためのユーザー情報のユーザーによる入力操作を必要とすることなくユーザー情報が取得され、ユーザーによる第１のアイコンの移動操作中に、前記取得されたユーザー情報に基づいてユーザーの認証が行われる。
【００１５】
つまり、ロック解除と機能選択とユーザー認証が第１のアイコンの１回の移動操作で同時的に行われることになるから、ロック解除操作後にユーザー認証のための別途の操作が不要となり、操作性を改善できる。
【００１６】
しかも、ユーザー認証後に、前記ロック中画面が認証されたユーザーに対応する個別画面に変更されて表示されるから、例えば認証されたユーザーに対して使用が許可されている機能に対応する第２のアイコンのみを限定して表示するというように、ユーザーに対応した操作性を実現でき、さらに使い勝手を良くすることができる。
【００１７】
前項（２）に記載の発明によれば、ユーザーが保持する人体通信端末から、人体を通信経路とする人体通信によりユーザー情報が取得されるから、確実にユーザー情報を取得することができる。
【００１８】
前項（３）に記載の発明によれば、第２のアイコンの表示形態がロック中画面における表示形態から変更されて個別画面に表示される。
【００１９】
前項（４）に記載の発明によれば、認証されたユーザーに対して使用を許可されていない機能に対応する第２のアイコンの表示形態が、ロック中画面における表示形態から変更されて表示されるから、ユーザーは使用できない機能が存在することを容易に認識できる。
【００２０】
前項（５）に記載の発明によれば、第２のアイコンの色、形状、位置のうちのいずれかが変更されて個別画面に表示される。
【００２１】
前項（６）に記載の発明によれば、認証されたユーザーに対して使用を許可されていない機能が存在する場合、使用を許可されている機能に対応する第２のアイコンのサイズをロック中画面におけるサイズよりも大きくして個別画面を表示するから、ユーザーは使用を許可されている機能であることを容易に認識できる。
【００２２】
前項（７）に記載の発明によれば、第１のアイコンの移動後に、第２のアイコンに関連する機能設定を示す第３のアイコンが表示される。
【００２３】
前項（８）に記載の発明によれば、ユーザーに固有の機能設定を示す第３のアイコンが表示されるから、ユーザーはこの第３のアイコンを選択することで、第２のアイコンに関連する機能設定を、ロック解除操作及びユーザー認証と同時に行うことができ、操作性をさらに良くすることができる。
【００２４】
前項（９）に記載の発明によれば、個別画面に背景画像が表示されるから、ユーザーは背景画像を確認しながら、第２のアイコンを選択できる。
【００２５】
前項（１０）に記載の発明によれば、背景画像は、第１のアイコンの移動先の第２のアイコンで示される機能を選択したときに表示される基本画面の画像であるから、ユーザーは、基本画面を確認しながら第２のアイコンを選択できる。
【００２６】
前項（１１）に記載の発明によれば、背景画像は透過表示されるから、第２のアイコンの表示が背景画像によって妨げられることがなく、しかも移動操作される第１のアイコンの移動距離に応じて背景画面の透過度が変更されるから、ユーザーは選択しようとする第２のアイコンで示される機能を確実に認識でき、誤って意図しない機能を選択するのを防止できる。
【００２７】
前項（１２）に記載の発明によれば、第１のアイコンが第２のアイコンの位置でリリースされるまでの予め設定されたタイミングで、ロックが解除される。
【００２８】
前項（１３）に記載の発明によれば、第１のアイコンが第２のアイコンの位置でリリースされるまでにユーザーの認証が完了していない場合は、リリース後にユーザー認証要求画面が表示手段に表示されるから、ユーザーは自分でユーザー認証画面を表示させる必要はない。
【００２９】
前項（１４）に記載の発明によれば、ロック解除と機能選択とユーザー認証が第１のアイコンの１回の移動操作で同時的に行われることになるから、ロック解除操作後にユーザー認証のための別途の操作を不要にでき、操作性を改善できる。しかも、ユーザー認証後に、ロック中画面が認証されたユーザーに対応する個別画面に変更されて表示されるから、例えば認証されたユーザーに対して使用が許可されている機能に対応する第２のアイコンのみを限定して表示するというように、ユーザーに対応した操作性を実現でき、使い勝手を良くすることができる。
【００３０】
前項（１５）に記載の発明によれば、ロック解除と機能選択とユーザー認証を第１のアイコンの１回の移動操作で同時的に行うとともに、ユーザー認証後に、前記ロック中画面を認証されたユーザーに対応する個別画面に変更して表示する処理を、情報処理装置のＣＰＵに実行させることができる。
【図面の簡単な説明】
【００３１】
【図１】この発明の一実施形態に係る情報処理装置のファームウェアモジュールとユーザーインターフェースデバイスの構成を示すブロック図である。
【図２】表示部に表示されたロック中画面の初期画面を示す図である。
【図３】ロック中画面が表示部に表示されている状態で、ユーザーによるタッチパネルのタッチの有無を検出し、その結果に基づいて行われる処理を示すフローチャートである。
【図４】タッチステータスの判定基準を示す表である。
【図５】図３のフローチャートにおけるステップＳ３のロック中画面表示処理のサブルーチンを示すフローチャートである。
【図６】図３のフローチャートにおけるステップＳ４のロックアイコン移動中表示処理（１）のサブルーチンを示すフローチャートである。
【図７】図３のフローチャートにおけるステップＳ５のロックアイコン移動中表示処理（２）のサブルーチンを示すフローチャートである。
【図８】図３のフローチャートにおけるステップＳ７の機能使用画面表示遷移処理のサブルーチンを示すフローチャートである。
【図９】追加ログイン要求画面を示す図である。
【図１０】人体通信確認処理を示すフローチャートである。
【図１１】ログオフ時の動作を示すフローチャートである。
【図１２】表示手段に表示されるユーザーに応じた個別画面の一例を示す図である。
【図１３】ユーザーに応じた個別画面の他の表示例を示す図である。
【図１４】ユーザーに応じた個別画面のさらに他の表示例を示す図である。
【図１５】ロックアイコンの移動距離と背景画像の透過度等との関係を予め規定した表である。
【図１６】ロック中画面における各領域を説明するための図である。
【図１７】ロックアイコンのタッチ状態及び位置、ユーザー認証状態等に応じて、表示手段に表示される画面を規定した表である。
【発明を実施するための形態】
【００３２】
以下、この発明の実施形態を図面に基づいて説明する。
【００３３】
図１は、この発明の一実施形態に係る情報処理装置としての前述した多機能デジタル画像処理装置であるＭＦＰ１のファームウェアモジュールとユーザーインターフェースデバイスの構成を示すブロック図である。
【００３４】
なお、情報処理装置は画像処理装置に限定されることはなく、ユーザー認証が行われる装置であれば、パーソナルコンピュータ、タブレット端末その他の情報処理装置であってもよい。
【００３５】
図１に示されるように、ＭＦＰ１は操作パネル２とコントローラ部３を備えている。
【００３６】
操作パネル２は液晶装置等からなる表示部２２と、表示部２２の表面に設けられたタッチパネル２１と、人体通信受信デバイス２３を備えている。
【００３７】
表示部２２は、ＭＦＰ１を操作するためのロック中画面を含む操作画面、ユーザーに対するメッセージ等を表示する。またタッチパネル２１は、ユーザーによるタッチ操作を受け付ける。なお、タッチ操作には、移動（スワイプまたはスライド）操作、フリック操作、ピンチ操作等のジェスチャ操作も含まれる。
【００３８】
人体通信受信デバイス２３は、ユーザー４が固有の電波を発信する人体通信発信端末５を携行した状態で操作パネル２をタッチしたときに、この電波を受信して人体通信発信端末５内のユーザー情報を受信するものであり、表示部の表面にタッチパネル２１とは別に人体通信受信デバイス２３となるレイヤー層を備えている。
【００３９】
一方、コントローラ３はＭＦＰ１の全体を制御するＣＰＵ３１と、ＣＰＵ３１の動作プログラム等を格納するＲＯＭ３２と、ＣＰＵ３１が動作プログラムに従って動作する際の作業領域となるＲＡＭ３３を備えている。
【００４０】
コントローラ３は、機能的には、タッチパネル制御部３４と、表示制御部３５と、人体通信デバイス制御部３６と、画面制御部３７と、ユーザー判別処理部３８と、ＭＦＰ機能全体制御部３９を備えている。これらの各制御部の動作は、ＣＰＵ３１が制御ファームウェア（ＦＷ）に従って動作することにより実行される。
【００４１】
タッチパネル制御部３４は、タッチパネル２１を制御するものでありタッチパネル２１から通知されるユーザーのタッチ座標データを受信する。表示制御部３５は表示部２２に画面描画データを送信して各種の画面を表示させる。
【００４２】
人体通信デバイス制御部３６は、人体通信受信デバイス２３を制御し該デバイス２３で受信された通信信号を受領する。画面制御部３７はタッチパネル制御部３４で受信されたタッチ座標データを解析し、タッチ座標に対応する画面描画データを生成して表示制御部３５に送信する。
【００４３】
ユーザー判別処理部３８は、人体通信デバイス制御部３６で受信された信号データを解析し、予め保持している照合用のユーザー基本情報と照合することでユーザー認証を行い、ユーザーを判別する。また、判別されたユーザーの識別情報（ＩＤ）等をＭＦＰ機能全体制御部３９に送信する。
【００４４】
ＭＦＰ機能全体制御部３９はＭＦＰ１の全体動作を統括的に制御するが、特にこの実施形態では、ユーザーがログアウトすると自装置を待機状態にロックするとともに、ロックされていることを示すロック中画面を待受画面として表示する。また、ユーザー判別処理部３８からの判別結果を受けて、ユーザーに対して設定されている自装置の各機能の使用可否を確認し、ロック中画面を使用可否の設定に応じたユーザーの個別画面に変更させる等の制御を行うが、詳細な説明は後述する。
【００４５】
なお、ユーザー情報の照合はＭＦＰ１の内部で行われる必要はなく、ユーザー基本情報を外部の認証サーバー等に保存しておき、人体通信デバイス２３で受信されたユーザー情報をＭＦＰ１が認証サーバーに送信し、認証サーバーから受信した照合結果に基づいてユーザー認証を行っても良い。また、認証されたユーザーに対するＭＦＰ１の各機能の使用可否についての設定情報を認証サーバーが保有し、ＭＦＰ機能全体制御部３９はユーザーに対する使用可否の設定情報を認証サーバーから取得しても良い。
【００４６】
ＭＦＰ１を使用するユーザー４は、人体通信発信端末５を携行している。人体通信発信端末５は、人体通信発信デバイス５１とユーザー情報格納部５２を備えている。
【００４７】
人体通信発信デバイス５１はユーザー情報を含む信号を発信するものである。発信された電波は、人体を通信経路とする人体通信によりＭＦＰ１へと送信され、人体通信受信デバイス２３で受信される。ユーザー情報格納部５２は、ユーザー固有の識別情報等のユーザーを特定するために必要なユーザー情報を格納するメモリである。
【００４８】
この実施形態では、ＭＦＰ１は、ログアウト後に自装置をロックするロック機能を備えている。ロックされた状態ではＭＦＰ１は待機状態となり、表示部２２には図２に示されるようなロック中であることを示すロック中画面の初期画面が表示され、ロック解除操作を含む設定された操作以外のタッチ操作は無効となる。
【００４９】
図２に示されるロック中画面では、中心部にロックの解除のための第１のアイコン（以下、ロックアイコンともいう）２２１と、ロックアイコン２２１を取り囲む態様でＭＦＰ１の機能を示す１個または複数個の第２のアイコン（機能アイコンともいう）２２２ａ〜２２２ｆが表示されている。そして、ロック中画面の初期画面においてユーザーがロックアイコン２２１をタッチして所望の機能アイコン２２２ａ〜２２２ｆへと移動させるロック解除操作を行うと、表示部２２の表示画面はロック中画面の初期画面から、ロックアイコン２２１の位置のみが変化したロック中画面に変更される。また、ロック解除操作と並行してユーザー認証が行われ、認証が成功すると前記ロック中画面は認証されたユーザーに応じた個別画面に変更される。また、ロックアイコン２２１を機能アイコン２２２ａ〜２２２ｆと重なった位置で離す（リリースする）と、リリースされた機能アイコン２２２ａ〜２２２ｆに対応する機能の使用画面が表示される構成となっている。
【００５０】
ＭＦＰ１によるロック解除のタイミングは限定されず、ロックアイコン２２１の移動開始後に予め設定されたタイミングで行われれば良いが、望ましくはロックアイコン２２１がいずれかの機能アイコン２２２ａ〜２２２ｆの位置でリリースされるまでに行われるのが良い。例えば、ロックアイコン２２１がいずれかの機能アイコン２２２ａ〜２２２ｆの位置でリリースされたときにロックが解除されても良いし、ユーザー認証が成功したタイミングつまりロックアイコン２２１の位置に応じたロック中画面が、認証されたユーザーに応じた個別画面に切り替わったタイミングで行われても良い。この実施形態では、ロックアイコン２２１がいずれかの機能アイコン２２２ａ〜２２２ｆの位置でリリースされたときにロックが解除される構成となっている。
【００５１】
このように、ロック解除と機能選択とユーザー認証処理がロックアイコン２２１の１回の移動操作で同時的に行われることになるから、ロック解除操作後にユーザー認証のための別途の操作が不要となり、操作性を改善できる。
【００５２】
上記のようなロック解除操作時の表示部２２の画面制御を、図３以降のフローチャートを参照しつつ説明する。
【００５３】
図３は、ロック中画面の初期画面が表示部２２に表示されている状態で、ユーザーによるタッチパネル２１のタッチの有無を検出し、その結果に基づいて行われる処理を示すフローチャートである。この処理は定期的に起動される。
【００５４】
なお、図３以降のフローチャートで示される処理は、ＭＦＰ１のＣＰＵ３１がＲＯＭ３２等の記録媒体に記録された動作プログラムに従って動作することにより実行される。
【００５５】
ステップＳ１で、現在のタッチ位置の状態を取得したのち、ステップＳ２でタッチステータスを判定する。
【００５６】
タッチステータスは、図４の表に示されるように、ステップＳ１で取得した前回のタッチ状態と今回のタッチ状態の組み合わせにより判定される。具体的には、前回のタッチ状態が「タッチ状態」で今回のタッチ状態が「タッチ状態」である場合、「タッチ状態継続」と判定され、前回のタッチ状態が「タッチ状態」で今回のタッチ状態が「非タッチ状態」である場合、「リリース時」と判定される。また、前回のタッチ状態が「非タッチ状態」で今回のタッチ状態が「タッチ状態」である場合、「タッチ開始時」と判定され、前回のタッチ状態が「非タッチ状態」で今回のタッチ状態が「非タッチ状態」である場合、「非タッチ状態継続」と判定される。
【００５７】
図３に戻って、ステップＳ２の判定結果に応じてステップが分岐する。タッチステータスが「非タッチ状態継続」の場合、ステップＳ３に進み、ロック中画面表示処理を実施したのちステップＳ９に進む。ロック中画面表示処理については後述する。
【００５８】
タッチステータスが「タッチ状態継続」の場合、ステップＳ４に進み、ロックアイコン移動中表示処理（１）を実施したのちステップＳ９に進む。ロックアイコン移動中表示処理（１）については後述する。
【００５９】
タッチステータスが「タッチ開始時」の場合、ステップＳ５に進み、ロックアイコン移動中表示処理（２）を実施し、さらにステップＳ６で、「人体通信：有効」をセットしたのちステップＳ９に進む。ロックアイコン移動中表示処理（２）については後述する。
【００６０】
タッチステータスが「リリース時」の場合、ステップＳ７に進み、機能使用画面表示遷移処理を実施し、さらにステップＳ８で、「人体通信：無効」をセットしたのちステップＳ９に進む。機能使用画面表示遷移処理については後述する。
【００６１】
ステップＳ９では、現在のタッチ位置状態を記憶したのち、リターンする。
【００６２】
図５は、図３のフローチャートにおけるステップＳ３のロック中画面表示処理のサブルーチンを示すフローチャートである。このロック中画面表示処理では、ステップＳ３１でロック中画面の初期画面を継続して表示したのち、リターンする。
【００６３】
図６は、図３のフローチャートにおけるステップＳ４のロックアイコン移動中表示処理（１）のサブルーチンを示すフローチャートである。
【００６４】
ステップＳ４１で、ロックアイコン２２１の移動中か否かを判断する。移動中でなければ（ステップＳ４１でＮＯ）、ステップＳ４６で、ロック中画面をそのまま表示する。移動中であれば（ステップＳ４１でＹＥＳ）、ステップＳ４２で、ユーザー認証済みかどうかを調べる。認証済みでなければ（ステップＳ４２でＮＯ）、ステップＳ４５で、ロックアイコン２２１の位置に応じた、つまりロックアイコン２２１の位置のみが変化したロック中画面を表示したのち、リターンする。
【００６５】
認証済みであれば（ステップＳ４２でＹＥＳ）、ステップＳ４３で、認証済みユーザーの使用可能な機能情報を取得したのち、ステップＳ４４で、ロック中画面をユーザーに応じた個別画面に変更して表示部２２に表示し、リターンする。なお、ユーザーに応じた個別画面については後述する。
【００６６】
図７は、図３のフローチャートにおけるステップＳ５のロックアイコン移動中表示処理（２）のサブルーチンを示すフローチャートである。
【００６７】
ステップＳ５１で、ロックアイコン２２１は移動中かどうかを判断し、移動中であれば（ステップＳ５１でＹＥＳ）、ステップＳ５２で、ロックアイコン２２１の位置に応じたロック中画面を表示したのち、リターンする。移動中でなければ（ステップＳ５１でＮＯ）、ステップＳ５３で、ロック中画面の初期画面を継続表示したのち、リターンする。
【００６８】
図８は、図３のフローチャートにおけるステップＳ７の機能使用画面表示遷移処理のサブルーチンを示すフローチャートである。
【００６９】
ステップＳ７１で、ロックアイコン２２１が移動中かどうかを判断し、移動中であれば（ステップＳ７１でＹＥＳ）、ステップＳ７２で、ロックアイコン２２１のリリース位置がいずれかの機能アイコン２２２ａ〜２２２ｆ上か否かを判断する。いずれかの機能アイコン２２２ａ〜２２２ｆ上である場合（ステップＳ７２でＹＥＳ）、ステップＳ７３で、リリース位置にある機能アイコン２２２ａ〜２２２ｆに対応する機能を、ユーザーによって選択された機能として設定する。
【００７０】
次いでステップＳ７４で、ユーザー認証が完了したかどうかを判断し、完了している場合は（ステップＳ７４でＹＥＳ）、ステップＳ７５で、認証ユーザーが選択した機能の使用画面を表示したのち、リターンする。ユーザー認証が完了していない場合は（ステップＳ７４でＮＯ）、ステップＳ７６で追加ログイン要求画面を表示したのち、リターンする。
【００７１】
なお、ステップＳ７１で、ロックアイコン２２１が移動中でない場合（ステップＳ７１でＮＯ）や、ステップＳ７２で、ロックアイコン２２１のリリース位置が機能アイコン２２２ａ〜２２２ｆ上でない場合（ステップＳ７２でＮＯ）は、いずれもリターンする。
【００７２】
図９に追加ログイン要求画面を示す。この画面では識別情報やパスワード等のユーザー情報の入力及び所定マークのログインキー２２３ｄのロングタッチを促すメッセージ２２３ａとともに、ユーザー情報の入力欄２２３ｂ、ソフトウェアキーボード２２３ｃが表示されている。ユーザーがユーザー情報を入力するか、ログインキー２２３ｄにロングタッチすると、再度のユーザー認証が行われる。なお、ログインキー２２３ｄへのタッチの場合は、人体通信発信端末５からユーザー情報が人体通信によりＭＦＰ１の人体通信デバイス２３へと送信され、このユーザー情報に基づいて認証が行われる。人体通信により認証が完了した場合、キー入力中であっても認証は有効とされる。
【００７３】
図１０は、人体通信確認処理を示すフローチャートである。この人体通信確認処理は、人体通信発信端末５から人体通信により取得したユーザー情報に基づいて、ユーザー認証を行う処理であり、定期的に起動される。
【００７４】
ステップＳ１０１で、「人体通信:有効」が設定されているかどうかを判断する。設定されていれば（ステップＳ１０１でＹＥＳ）、ステップＳ１０２で、人体通信発信端末５から人体通信を介して取得したデータを解析したのち、ステップＳ１０３で、ユーザー情報が含まれているかどうかを判断する。
【００７５】
ユーザー情報が含まれていれば（ステップＳ１０３でＹＥＳ）、ステップＳ１０４で、受信したユーザー情報とＭＦＰ１に保持されている照合用のユーザー基本情報（認証情報）とを照合したのち、ステップＳ１０５で、受信したユーザー情報がＭＦＰ１側の認証情報と一致するか否かを判断する。一致すれば（ステップＳ１０５でＹＥＳ）、ステップＳ１０６で、「ユーザー認証：完了状態」をセットするとともに、該当ユーザーが使用可能なＭＦＰ１の機能も識別したのち、リターンする。
【００７６】
なお、ステップＳ１０１で、「人体通信:有効」が設定されていない場合（ステップＳ１０１でＮＯ）、ステップＳ１０３でユーザー情報が含まれていない場合（ステップＳ１０３でＮＯ）、ステップＳ１０５で、受信したユーザー情報がＭＦＰ１側の認証情報と一致しない場合は（ステップＳ１０５でＮＯ）、いずれもそのままリターンする。
【００７７】
図１１は、ログオフ時の動作を示すフローチャートである。ログオフ時にはステップＳ２０１で、「ユーザー認証：無効状態」をセットしたのち、リターンする。ログオフされるとＭＦＰ１はロックされ待機状態となり、ロック中画面の初期画面が表示される。
【００７８】
次に、図６のステップＳ４４で表示部２２に表示されるユーザーに応じた個別画面について説明する。
【００７９】
図１２に示す例では、図１２（Ａ）のロック中画面の初期画面から、ユーザーがロックアイコン２２１をタッチして移動させると、ロックアイコン２２１の移動位置に応じたロック中画面に遷移する。そして、ユーザー認証に成功すると、図１２（Ｂ）の画面に示すように、認証を受けたユーザーに対して使用が禁止されている機能（この例ではファクシミリ（Ｆａｘ）機能とスキャン（Ｓｃａｎ）機能）を示す機能アイコン２２２ａ、２２２ｂが、色を変えて例えばグレー表示される。なお、図１２（Ｂ）ではハッチングにより色が変化していることを示している。このように、使用が禁止されている機能を示す機能アイコン２２２ａ、２２２ｂの色を変化させて表示することで、ユーザーは対応する機能を使用できないことを容易に認識できるとともに、使用禁止機能を誤って選択する不都合を防止でき、操作性を向上できる。
【００８０】
なお、使用を禁止されている機能を示す機能アイコン２２２ａ、２２２ｂの色を変化させるのではなく、形状や位置を変化させて表示してもよいし、色、形状、位置のうちの２つ以上を組み合わせて変化させてもよく、表示形態を変更して表示すればよい。また、使用を禁止されている機能を示す機能アイコン２２２ａ、２２２ｂではなく、使用を許可されている機能を示す機能アイコン２２２ｃ〜２２２ｆの表示形態を変更してもよい。
【００８１】
また、図１２（Ｃ）に示すように、使用を許可されている機能を示す機能アイコン（例えば機能アイコン２２２ｃ、２２２ｆ）の表示領域を、使用禁止機能を示す機能アイコン２２２ａ、２２２ｂの表示領域まで拡大して表示してもよい。これにより、限られた表示領域をロックアイコン２２１の有効なリリース領域として割り当てることになり、さらに操作性を向上することができる。
【００８２】
なお、ユーザーに対応した個別画面への変更は、ユーザーが違和感を感じないように、ロックアイコン２２１の移動に伴い徐々に画面が切り替わるアニメーション表示により行われるのがよい。
【００８３】
図１３はユーザーに応じた個別画面の他の表示例を示す図である。一つの機能アイコンを選択してその基本画面が表示された後、さらに機能設定の選択が必要となる場合がある。例えば、スキャン機能においては、基本画面の表示後、画像データの送信宛先の選択操作が引き続いて必要となる。このような一連の操作を一つの画面上で一回の操作で行うことができれば、操作性がさらに良くなる。
【００８４】
そこで、認証後のユーザーの個別画面として、ユーザーが選択しようとする機能アイコン（例えばスキャン機能を示す機能アイコン２２２ｂ）に関連するユーザー固有の機能設定を示すサブアイコン２２４を表示する。図１３の例ではユーザーが選択しようとするスキャン機能アイコン２２２ｂの周囲に、ユーザーについて設定されている送信宛先を示す複数の宛先アイコン２２４をサブアイコンとして選択可能に表示している。ユーザーがいずれかの宛先アイコン２２４を選択し宛先アイコン２２４上でロックアイコン２２１をリリースすると、宛先設定済みの画面に直接遷移する。なお、該当ユーザーの送信宛先についての情報は、ユーザー認証の時に機能使用可否の情報とともに取得される。
【００８５】
このような構成により、機能アイコン２２２ａ〜２２２ｆに関連する機能設定を、ロック解除操作及びユーザー認証と同時に行うことができ、操作性をさらに良くすることができる。なお、この実施形態では、宛先アイコン２２４上でロックアイコン２２１がリリースされる場合、リリースされたときにロックが解除される。
【００８６】
なお、ロックアイコン２２１の移動後ユーザー認証の完了前に、ユーザーが選択しようとする機能アイコン２２２ａ〜２２２ｆに関連する一般的な機能設定を示すサブアイコンを表示し、ユーザー認証後はユーザーに固有のサブアイコンの表示に切り替えてもよい。
【００８７】
図１４はユーザーに応じた個別画面のさらに他の表示例を示す図である。比較的使用頻度の低いユーザーでは、機能の名称と実際に使用したい機能のイメージが合致していない場合がある。このような場合、一旦選択した機能が実際に使用したい機能と相違していた場合、再度機能を切り替える操作が必要となり、手間が増える。
【００８８】
そこで、ロックアイコン２２１の移動操作中にユーザー認証が完了した時点以降、図１４に示すように、ユーザーが選択しようとする機能アイコンを選択したときに表示される基本画面を、背景画像２５として透過状態で表示させる。
【００８９】
さらに、移動操作されるロックアイコン２２１の移動距離に応じて背景画像２５の透過度が変更され、図１４（Ｂ）さらには図１４（Ｃ）と、移動距離が大きくなるほど透過度が高く（濃く）表示される。図１４（Ａ）では背景画像２５が点線で示され、同図（Ｂ）では細線で示され、同図（Ｃ）では太線で示され、徐々に濃く表示されている状態を示している。
【００９０】
ロックアイコン２２１の移動距離と背景画像２５の透過度等との関係は図１５の表のように予め設定されており、ＣＰＵ３１は図１５の表の設定に基づいて背景画像２５の表示を行う。図１５の表では、ロックアイコン２２１のホーム位置からユーザーによる選択対象の機能のアイコン（例えば機能アイコン２２２ｂ）までの距離をＸ、ロックアイコン２２１のホーム位置から現在の位置までの距離をＹとし、Ｙ／Ｘ（％）の値を０〜２４、２５〜４９、５０〜７４、７５〜１２４、１２５〜の５グループに分け、各グループに応じて、選択対象の機能アイコンの表示、選択対象以外の機能アイコンの表示、背景画像２５の表示、のそれぞれについて透過度が設定されている。透過度は１００％が最も濃い表示であり、０％が最も薄い表示である。
【００９１】
具体的には、Ｙ／Ｘの値が０〜２４％のとき換言すればロックアイコン２２１が移動していないか移動距離が少ないときは、選択対象の機能アイコンの表示は透過度１００％、選択対象以外の機能アイコンの表示は透過度１００％、背景画像２５はグレー表示に設定されている。Ｙ／Ｘの値が２５〜４９％のときは、選択対象の機能アイコンの表示は透過度１００％、選択対象以外の機能アイコンの表示は透過度６０％、背景画像２５は透過度３０％に設定されている。
【００９２】
Ｙ／Ｘの値が５０〜７４％のときは、選択対象の機能アイコンの表示は透過度１００％、選択対象以外の機能アイコンの表示は透過度３０％、背景画像２５は透過度６０％に設定されている。Ｙ／Ｘの値が７５〜１２４％のときは、選択対象の機能アイコンの表示は透過度１００％、選択対象以外の機能アイコンの表示は透過度１０％、背景画像２５は透過度９０％に設定されている。Ｙ／Ｘの値が１２５〜％のときは、選択対象の機能アイコンの表示は透過度１００％、選択対象以外の機能アイコンの表示は透過度１００％、背景画像２５はグレー表示に設定されている。
【００９３】
このように、背景画像２５が透過表示されるから、機能アイコン２２２ａ〜２２２ｆの表示が背景画像によって妨げられることがなく、しかも移動操作されるロックアイコン２２１の移動距離に応じて背景画面２５の透過度が変更されるから、ユーザーは選択しようとする機能アイコン２２２ａ〜２２２ｆで示される機能を確実に認識でき、誤って意図しない機能を選択するのを防止できる。
【００９４】
図１６及び図１７は、ロックアイコン２２１のタッチ状態及び位置、ユーザー認証状態等に応じて、上述したような表示部２２に表示する画面が予め設定されていることを説明するための図であり、ＣＰＵ３１はこのような設定に基づいて各画面を表示する。
【００９５】
図１６に示すように、表示部２２のロック中画面において、ロックアイコン２２１のホーム位置の領域を「領域１」、領域１の周辺部を「領域２」、各機能アイコン２２２ａ〜２２２ｆの領域Ａ〜Ｆを「領域４（Ａ）〜（Ｆ）」、ロックアイコン２２１から各機能アイコン２２２ａ〜２２２ｆへの移動経路の領域を「領域３（Ａ）〜（Ｆ）」、「領域１」〜「領域４」以外の領域を「領域５」とする。そして、ロックアイコン２２１が現在どの領域に存在するかによって、図１７に示すように、表示部２２に表示される画面との関係が設定されている。
【００９６】
図１７（Ａ）は、図１２に示した個別画面を表示させる場合の設定を示す表である。ロックアイコン２２１にタッチされていない状態では、表示部２２にはロック中画面の初期画面が表示される。ロックアイコン２２１にタッチしたとき、さらにタッチした状態で移動させたとき、ユーザー認証が未完了であれば領域１〜５のいずれの領域まで移動させても、ロックアイコン位置に応じたロック中画面が表示される。なお、領域３（ｎ）、領域４（ｎ）は、それぞれ領域３（Ａ）〜（Ｆ）、領域４（Ａ）〜（Ｆ）のうちのユーザーが選択した領域を示す。タッチした状態で移動させ、ユーザー認証が完了した場合、領域１、領域２、領域５の領域では、ロックアイコン位置に応じたロック中画面が表示されるが、領域３（ｎ）、領域４（ｎ）では、図１２に示したようなユーザーに応じた個別画面が表示される。
【００９７】
一方、ロックアイコン２２１が領域１、領域２、領域３（ｎ）、領域５でリリースされた時は、ユーザー認証の完了、未完了にかかわらず、ロック中画面が表示されるが、領域４（ｎ）でリリースされた時は、認証完了であれば、ユーザーが選択した機能を使用するための基本画面が表示される。認証完了でなければ、図９に示した追加ログイン要求画面が表示される。
【００９８】
図１７（Ｂ）は、図１３に示した個別画面を表示させる場合の設定を示す表である。ロックアイコン２２１にタッチされていない状態では、表示部２２にはロック中画面の初期画面が表示される。ロックアイコン２２１にタッチしたとき、さらにタッチした状態で領域１、領域２、領域５へと移動させたときは、ユーザー認証の完了、未完了にかかわらず、ロックアイコン位置に応じたロック中画面が表示される。
【００９９】
タッチした状態で領域３（ｎ）、領域４（ｎ）へと移動させたとき、ユーザー認証が未完了であれば、ロックアイコン位置に応じたロック中画面に、ユーザーが選択しようとする機能（ｎ）に関連する一般的な機能設定を示すサブアイコン２２４を表示する。ユーザー認証が完了すると、ロックアイコン位置に応じたロック中画面に、ユーザーが選択しようとする機能（ｎ）に関連するユーザー固有の機能設定を示すサブアイコン２２４が表示された図１３に示したような画面に切り替える。
【０１００】
一方、ロックアイコン２２１が領域１、領域２、領域３（ｎ）、領域５でリリースされた時は、ユーザー認証の完了、未完了にかかわらず、ロック中画面が表示される。領域４（ｎ）でリリースされた時は、認証完了であれば、ユーザーが機能アイコン２２２ａ〜２２２ｆ上でリリースしたときはその機能を使用するための基本画面が表示され、サブアイコン２２４上でリリースしたときはサブアイコンに対応する画面が表示される。認証未完了の場合は、図９に示した追加ログイン要求画面が表示されるが、バックグラウンドで、ユーザーが選択しようとする機能（ｎ）に関連する一般的な機能設定を示すサブアイコン２２４を選択可能状態に保持する。
【０１０１】
図１７（Ｃ）は、図１４に示した個別画面を表示させる場合の設定を示す表である。ロックアイコン２２１にタッチされていない状態では、表示部２２にはロック中画面の初期画面が表示される。ロックアイコン２２１にタッチしたとき、さらにタッチした状態で移動させたとき、ユーザー認証が未完了であれば領域１〜領域５のいずれの領域まで移動させても、ロックアイコン位置に応じたロック中画面が表示される。タッチした状態で移動させ、ユーザー認証が完了した場合、領域１、領域２、領域５では、ロックアイコン位置に応じたロック中画面が表示されるが、領域３（ｎ）、領域４（ｎ）では、図１４に示したようなユーザーに応じた個別画面として背景画像２５が透過表示された画面が表示される。なお、前述したように、透過度はロックアイコン２２１の位置に応じて変更される。
【０１０２】
一方、ロックアイコン２２１が領域１、領域２、領域３（ｎ）、領域５でリリースされた時は、ユーザー認証の完了、未完了にかかわらず、ロック中画面が表示されるが、領域４（ｎ）でリリースされた時は、認証完了であれば、ユーザーが選択した機能を使用するための基本画面が表示される。認証完了でなければ、図９に示した追加ログイン要求画面が表示される。
【０１０３】
なお、図１２〜図１４のいずれの個別画面を表示させるかは、デフォルトで設定されていてもよいし、管理者やユーザーが設定できるようにしてもよい。
【０１０４】
以上、本発明の実施形態を説明したが、本発明は上記実施形態に限定されることはない。例えば、ユーザーによる入力操作を必要とすることなくユーザー情報を取得する手段として、人体通信を用いて取得する手段を示したが、これに限定されることはなく、ユーザーが所持する例えばＩＣカード等の記録媒体に格納されたユーザー情報を、無線により取得する手段であっても良い。
【符号の説明】
【０１０５】
１      ＭＦＰ（情報処理装置）
２      操作パネル
２１    タッチパネル
２２    表示部
２３    人体通信受信デバイス
３      コントローラ
３１    ＣＰＵ
５      人体通信発信端末
５１    人体通信発信デバイス
５２    ユーザー情報格納部
【図１】
2016009340.tif 000003
【図２】
2016009340.tif 000004
【図３】
2016009340.tif 000005
【図４】
2016009340.tif 000006
【図５】
2016009340.tif 000007
【図６】
2016009340.tif 000008
【図７】
2016009340.tif 000009
【図８】
2016009340.tif 000010
【図９】
2016009340.tif 000011
【図１０】
2016009340.tif 000012
【図１１】
2016009340.tif 000013
【図１２】
2016009340.tif 000014
【図１３】
2016009340.tif 000015
【図１４】
2016009340.tif 000016
【図１５】
2016009340.tif 000017
【図１６】
2016009340.tif 000018
【図１７】
2016009340.tif 000019
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
タッチ操作可能な表示手段と、
ユーザーのログアウト後に自装置を待機状態にロックして、ロック解除操作を含む設定された操作以外のタッチ操作を無効にするロック手段と、
前記ロック手段によるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御手段と、
ログインしようとするユーザーによる前記ロック中画面内の前記第１のアイコンのタッチ移動操作に基づいて、ロックを解除するロック解除手段と、
前記移動された第１のアイコンのリリース位置と、前記第２のアイコンの位置が一致する場合に、前記第２のアイコンに該当する機能を前記ユーザーが選択したと判断する機能選択判断手段と、
前記ユーザーによる入力操作を必要とすることなく、前記ユーザーを特定するためのユーザー情報を取得するユーザー情報取得手段と、
前記ユーザーによる前記第１のアイコンの移動操作中に、前記ユーザー情報取得手段により取得されたユーザー情報に基づいて前記ユーザーの認証を行う認証手段と、
を備え、
前記表示制御手段は、前記認証手段によるユーザーの認証後に、前記ロック中画面を認証されたユーザーに対応する個別画面に変更して前記表示手段に表示することを特徴とする情報処理装置。
【請求項２】
前記ユーザー情報取得手段は、前記ユーザーが保持する人体通信端末から、人体を通信経路とする人体通信により前記ユーザー情報を取得する請求項１に記載の情報処理装置。
【請求項３】
前記表示制御手段は、前記第２のアイコンの表示形態を前記ロック中画面における表示形態から変更して前記個別画面を表示する請求項１または２に記載の情報処理装置。
【請求項４】
前記表示制御手段は、前記認証されたユーザーが使用を許可されていない機能に対応する第２のアイコンの表示形態を、前記ロック中画面における表示形態から変更して前記個別画面を表示する請求項３に記載の情報処理装置。
【請求項５】
前記第２のアイコンの表示形態の変更は、第２のアイコンの色、形状、位置のうちの少なくともいずれかの変更である請求項３または４に記載の情報処理装置。
【請求項６】
前記表示制御手段は、前記認証されたユーザーが使用を許可されていない機能が存在する場合、使用を許可されている機能に対応する前記第２のアイコンのサイズを前記ロック中画面におけるサイズよりも大きくして前記個別画面を表示する請求項３に記載の情報処理装置。
【請求項７】
前記表示制御手段は、前記第１のアイコンの移動操作中に、前記第２のアイコンに関連する機能設定を示す第３のアイコンを、前記表示手段に表示する請求項１〜６のいずれかに記載の情報処理装置。
【請求項８】
前記第３のアイコンは認証されたユーザーに固有の機能設定を示すアイコンである請求項７に記載の情報処理装置。
【請求項９】
前記表示制御手段は、前記個別画面に背景画像を表示する請求項１〜８のいずれかに記載の情報処理装置。
【請求項１０】
前記背景画像は、前記第１のアイコンの移動先の前記第２のアイコンで示される機能を選択したときに表示される基本画面の画像である請求項９に記載の情報処理装置。
【請求項１１】
前記表示制御手段は、前記背景画像を透過表示するとともに、移動操作される前記第１のアイコンの移動距離に応じて前記背景画像の透過度を変更する請求項１０に記載の情報処理装置。
【請求項１２】
前記ロック解除手段は、前記第１のアイコンが前記第２のアイコンの位置でリリースされるまでの予め設定されたタイミングで、前記ロックを解除する請求項１〜１１のいずれかに記載の情報処理装置。
【請求項１３】
前記表示制御手段は、前記第１のアイコンが前記第２のアイコンの位置でリリースされるまでに前記認証手段によるユーザーの認証が完了していない場合は、前記リリース後にユーザー認証要求画面を前記表示手段に表示する請求項１２に記載の情報処理装置。
【請求項１４】
タッチ操作可能な表示手段を備えた情報処理装置で実行されるロック中画面の表示制御方法であって、
ユーザーのログアウト後に前記情報処理装置を待機状態にロックして、ロック解除操作を含む設定された操作以外のタッチ操作を無効とするロックステップと、
前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、
ログインしようとするユーザーによる前記ロック中画面内の前記第１のアイコンのタッチ移動操作に基づいて、ロックを解除するロック解除ステップと、
前記移動された第１のアイコンのリリース位置と、前記第２のアイコンの位置が一致する場合に、前記第２のアイコンに該当する機能を前記ユーザーが選択したと判断する機能選択判断ステップと、
ユーザーを特定するためのユーザー情報の前記ユーザーによる入力操作を必要とすることなく、前記ユーザー情報を取得するユーザー情報取得ステップと、
前記ユーザーによる前記第１のアイコンの移動操作中に、前記ユーザー情報取得ステップにより取得されたユーザー情報に基づいて前記ユーザーの認証を行う認証ステップと、
を備え、
前記表示制御ステップでは、前記認証ステップによるユーザーの認証後に、前記ロック中画面を認証されたユーザーに対応する個別画面に変更して前記表示手段に表示することを特徴とする情報処理装置におけるロック中画面の表示制御方法。
【請求項１５】
タッチ操作可能な表示手段を備えた情報処理装置のＣＰＵに、
ユーザーのログアウト後に前記情報処理装置を待機状態にロックして、ロック解除操作を含む設定された操作以外のタッチ操作を無効とするロックステップと、
前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、
ログインしようとするユーザーによる前記ロック中画面内の前記第１のアイコンのタッチ移動操作に基づいて、ロックを解除するロック解除ステップと、
前記移動された第１のアイコンのリリース位置と、前記第２のアイコンの位置が一致する場合に、前記第２のアイコンに該当する機能を前記ユーザーが選択したと判断する機能選択判断ステップと、
ユーザーを特定するためのユーザー情報の前記ユーザーによる入力操作を必要とすることなく、前記ユーザー情報を取得するユーザー情報取得ステップと、
前記ユーザーによる前記第１のアイコンの移動操作中に、前記ユーザー情報取得ステップにより取得されたユーザー情報に基づいて前記ユーザーの認証を行う認証ステップと、
を実行させ、
前記表示制御ステップでは、前記認証ステップによるユーザーの認証後に、前記ロック中画面を認証されたユーザーに対応する個別画面に変更して前記表示手段に表示する処理を前記ＣＰＵに実行させるためのロック中画面の表示制御プログラム。
【手続補正２】
【補正対象書類名】明細書
【補正対象項目名】００１３
【補正方法】変更
【補正の内容】
【００１３】
上記課題は、以下の手段によって解決される。
（１）タッチ操作可能な表示手段と、ユーザーのログアウト後に自装置を待機状態にロックして、ロック解除操作を含む設定された操作以外のタッチ操作を無効にするロック手段と、前記ロック手段によるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御手段と、ログインしようとするユーザーによる前記ロック中画面内の前記第１のアイコンのタッチ移動操作に基づいて、ロックを解除するロック解除手段と、前記移動された第１のアイコンのリリース位置と、前記第２のアイコンの位置が一致する場合に、前記第２のアイコンに該当する機能を前記ユーザーが選択したと判断する機能選択判断手段と、前記ユーザーによる入力操作を必要とすることなく、前記ユーザーを特定するためのユーザー情報を取得するユーザー情報取得手段と、前記ユーザーによる前記第１のアイコンの移動操作中に、前記ユーザー情報取得手段により取得されたユーザー情報に基づいて前記ユーザーの認証を行う認証手段と、を備え、前記表示制御手段は、前記認証手段によるユーザーの認証後に、前記ロック中画面を認証されたユーザーに対応する個別画面に変更して前記表示手段に表示することを特徴とする情報処理装置。
（２）前記ユーザー情報取得手段は、前記ユーザーが保持する人体通信端末から、人体を通信経路とする人体通信により前記ユーザー情報を取得する前項１に記載の情報処理装置。
（３）前記表示制御手段は、前記第２のアイコンの表示形態を前記ロック中画面における表示形態から変更して前記個別画面を表示する前項１または２に記載の情報処理装置。
（４）前記表示制御手段は、前記認証されたユーザーが使用を許可されていない機能に対応する第２のアイコンの表示形態を、前記ロック中画面における表示形態から変更して前記個別画面を表示する前項３に記載の情報処理装置。
（５）前記第２のアイコンの表示形態の変更は、第２のアイコンの色、形状、位置のうちの少なくともいずれかの変更である前項３または４に記載の情報処理装置。
（６）前記表示制御手段は、前記認証されたユーザーが使用を許可されていない機能が存在する場合、使用を許可されている機能に対応する前記第２のアイコンのサイズを前記ロック中画面におけるサイズよりも大きくして前記個別画面を表示する前項３に記載の情報処理装置。
（７）前記表示制御手段は、前記第１のアイコンの移動操作中に、前記第２のアイコンに関連する機能設定を示す第３のアイコンを、前記表示手段に表示する前項１〜６のいずれかに記載の情報処理装置。
（８）前記第３のアイコンは認証されたユーザーに固有の機能設定を示すアイコンである前項７に記載の情報処理装置。
（９）前記表示制御手段は、前記個別画面に背景画像を表示する前項１〜８のいずれかに記載の情報処理装置。
（１０）前記背景画像は、前記第１のアイコンの移動先の前記第２のアイコンで示される機能を選択したときに表示される基本画面の画像である前項９に記載の情報処理装置。
（１１）前記表示制御手段は、前記背景画像を透過表示するとともに、移動操作される前記第１のアイコンの移動距離に応じて前記背景画像の透過度を変更する前項１０に記載の情報処理装置。
（１２）前記ロック解除手段は、前記第１のアイコンが前記第２のアイコンの位置でリリースされるまでの予め設定されたタイミングで、前記ロックを解除する前項１〜１１のいずれかに記載の情報処理装置。
（１３）前記表示制御手段は、前記第１のアイコンが前記第２のアイコンの位置でリリースされるまでに前記認証手段によるユーザーの認証が完了していない場合は、前記リリース後にユーザー認証要求画面を前記表示手段に表示する前項１２に記載の情報処理装置。
（１４）タッチ操作可能な表示手段を備えた情報処理装置で実行されるロック中画面の表示制御方法であって、ユーザーのログアウト後に前記情報処理装置を待機状態にロックして、ロック解除操作を含む設定された操作以外のタッチ操作を無効とするロックステップと、前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、ログインしようとするユーザーによる前記ロック中画面内の前記第１のアイコンのタッチ移動操作に基づいて、ロックを解除するロック解除ステップと、前記移動された第１のアイコンのリリース位置と、前記第２のアイコンの位置が一致する場合に、前記第２のアイコンに該当する機能を前記ユーザーが選択したと判断する機能選択判断ステップと、ユーザーを特定するためのユーザー情報の前記ユーザーによる入力操作を必要とすることなく、前記ユーザー情報を取得するユーザー情報取得ステップと、前記ユーザーによる前記第１のアイコンの移動操作中に、前記ユーザー情報取得ステップにより取得されたユーザー情報に基づいて前記ユーザーの認証を行う認証ステップと、を備え、前記表示制御ステップでは、前記認証ステップによるユーザーの認証後に、前記ロック中画面を認証されたユーザーに対応する個別画面に変更して前記表示手段に表示することを特徴とする情報処理装置におけるロック中画面の表示制御方法。
（１５）タッチ操作可能な表示手段を備えた情報処理装置のＣＰＵに、ユーザーのログアウト後に前記情報処理装置を待機状態にロックして、ロック解除操作を含む設定された操作以外のタッチ操作を無効とするロックステップと、前記ロックステップにおけるロックの解除のための第１のアイコンと、自装置の機能を示す１個または複数個の第２のアイコンを有し、ロック中であることを示すロック中画面の初期画面を前記表示手段に表示するとともに、ユーザーによる前記第１のアイコンの移動操作が行われたときは、前記初期画面を前記第１のアイコンの位置に応じたロック中画面に変更して前記表示手段に表示する表示制御ステップと、ログインしようとするユーザーによる前記ロック中画面内の前記第１のアイコンのタッチ移動操作に基づいて、ロックを解除するロック解除ステップと、前記移動された第１のアイコンのリリース位置と、前記第２のアイコンの位置が一致する場合に、前記第２のアイコンに該当する機能を前記ユーザーが選択したと判断する機能選択判断ステップと、ユーザーを特定するためのユーザー情報の前記ユーザーによる入力操作を必要とすることなく、前記ユーザー情報を取得するユーザー情報取得ステップと、前記ユーザーによる前記第１のアイコンの移動操作中に、前記ユーザー情報取得ステップにより取得されたユーザー情報に基づいて前記ユーザーの認証を行う認証ステップと、を実行させ、前記表示制御ステップでは、前記認証ステップによるユーザーの認証後に、前記ロック中画面を認証されたユーザーに対応する個別画面に変更して前記表示手段に表示する処理を前記ＣＰＵに実行させるためのロック中画面の表示制御プログラム。
【手続補正３】
【補正対象書類名】明細書
【補正対象項目名】００２２
【補正方法】変更
【補正の内容】
【００２２】
前項（７）に記載の発明によれば、第１のアイコンの移動操作中に、第２のアイコンに関連する機能設定を示す第３のアイコンが表示される。